(57)【要約】【課題】  閉塞感がなく、入浴空間に水蒸気及びマイナスイオンが供給されて発汗等が促進され、半身浴にも好適な入浴雰囲気とすることができる浴槽カバーを提供する。【解決手段】  本発明の浴槽カバー１は、浴槽（一般家庭で用いられている浴槽）の上面に載置される浴槽カバーであって、浴槽カバーの形状を保持する形状保持部材１１（弾性を有する金属線材等）と、形状保持部材に取り付けられたカバー部材１２と、浴槽カバーを折り畳むための折り畳み手段とを備え、カバー部材の少なくとも一部はマイナスイオン発生剤を有する織物により形成されている（一部がマイナスイオン発生剤を有する透明な樹脂フィルムにより形成されていてもよい。）。【選択図】  図１
2006020724.tif 000002
【特許請求の範囲】
【請求項１】
浴槽の上面に載置される浴槽カバーであって、該浴槽カバーの形状を保持する形状保持部材と、該形状保持部材に取り付けられたカバー部材と、該浴槽カバーを折り畳むための折り畳み手段とを備え、該カバー部材の少なくとも一部はマイナスイオン発生剤を有する織物により形成されていることを特徴とする浴槽カバー。
【請求項２】
上記浴槽カバーを上記浴槽の上記上面及び／又は該浴槽の側面の上部に固定するための固定具が取り付けられている請求項１に記載の浴槽カバー。
【請求項３】
内部に香り袋が取着されている請求項１又は２に記載の浴槽カバー。
【請求項４】
内面に物品収納用ポケットが設けられている請求項１乃至３のうちのいずれか１項に記載の浴槽カバー。
【請求項５】
浴槽の上面に載置される浴槽カバーであって、該浴槽カバーの形状を保持する形状保持部材と、該形状保持部材に取り付けられたカバー部材と、該浴槽カバーを折り畳むための折り畳み手段と、該浴槽カバーを該浴槽の該上面及び／又は該浴槽の側面の上部に固定するための固定具とを備え、該カバー部材の少なくとも一部はマイナスイオン発生剤を有する織物により形成されており、内部に香り袋が取着され且つ内面に物品収納用ポケットが設けられていることを特徴とする浴槽カバー。
【請求項６】
上記カバー部材の一部が樹脂フィルムにより形成されている請求項１乃至５のうちのいずれか１項に記載の浴槽カバー。
【請求項７】
上記浴槽カバーの高さ方向の最大寸法の位置が、該浴槽カバーの平面方向における側方に片寄っている請求項１乃至６のうちのいずれか１項に記載の浴槽カバー。
【請求項８】
浴槽と、該浴槽の上面に載置された請求項１乃至７のうちのいずれか１項に記載の浴槽カバーとを備えることを特徴とする浴槽構造体。
【発明の詳細な説明】
【技術分野】
【０００１】
本発明は、一般家庭の浴室において入浴中に使用する浴槽カバー及びそれを用いた浴槽構造体に関する。更に詳しくは、本発明は、閉塞感がなく、入浴空間に水蒸気及びマイナスイオンが供給され、スチーム及びミストサウナのような雰囲気となって発汗等が促進され、且つ半身浴にも好適な入浴雰囲気とすることができる浴槽カバー及びそれを用いた浴槽構造体に関する。
【背景技術】
【０００２】
人間は発汗により老廃物等を排出して健康を維持している。この発汗を促進させるためサウナ風呂を利用する人も多い。また、一般家庭の浴室において入浴者の発汗を促進させ、スチーム及びミストサウナと同様の作用、効果を得るための多くの浴室用具が提案されている。更に、マイナスイオン及び香り等により入浴空間をよりよい雰囲気とし、且つ抗菌、消臭、汚れの抑制等によって浴室をより清潔にするための各種の入浴用品も提供されている。
【０００３】
また、肩まで浸る通常の入浴は、湯温による影響のみでなく、水圧も受けるため、肺及び心臓に負担がかかり、健康であっても長時間の入浴は好ましくないとされている。特に、高齢者及び病人では入浴による負担はより大きくなる。そこで、最近、身体にかかる負担が小さい入浴法として、下半身のみをやや低めの温度のお湯に浸す、所謂、半身浴が提案されて注目されている。この半身浴であれば、入浴時間が少々長くても問題はなく、特に、高齢者及び病人の入浴法としても好ましい。しかし、半身浴は上半身がお湯に浸っていないため、冬期等に浴室が冷えていたりすると、却って健康を損なうことにもなりかねない。
【０００４】
このように、入浴空間の雰囲気をよりよいものとしたり、半身浴であっても健康を損なうことのないような入浴雰囲気にするため、種々の浴室用具等が提案されている。例えば、浴槽の上面に載置して浴槽の開口を閉蓋可能な蓋部材と、この蓋部材の端部に形成された入浴者の頭部より若干大きめの切り欠き部と、この切り欠き部を開閉可能な小蓋とを備える浴槽用蓋が知られている（例えば、特許文献１参照。）。この浴槽用蓋であれば、頭部のみを外部へ出して入浴することでサウナと略同様の効果が得られ、小蓋を閉じれば通常の保温用の蓋として用いることができると説明されている。
【０００５】
更に、浴槽の側壁に吸盤で立設された上面カバーと、この上面カバーの周縁に折曲自在に形成された複数の側面カバーとを備える浴槽カバーが知られている（例えば、特許文献２参照。）。この浴槽カバーは浴槽への装着、離脱が容易で、発汗促進の作用に優れ、使用中の圧迫感がなく、収納スペースも小さくてすむと説明されている。
【０００６】
また、浴槽内の湯面に浮かべることによって湯を保温する軟質発泡体からなるマット本体に、トルマリンを含有させた浴槽マットが知られている（例えば、特許文献３参照。）。この浴槽マットは保温マットとして使用することができ、浴槽内面を汚れ難くすることもできると説明されている。
【０００７】
更に、風呂蓋の長方形の短辺側外周に、入浴者の首部を出入りさせる孔部と、この孔部から外周に向かうスリットとを設けた半身浴用風呂蓋が知られている（例えば、特許文献４参照。）。この風呂蓋では、スリット上面に枕となるクッション材を固着することができ、このクッショクン材にマイナスイオン付着加工をすることもできる。また、風呂蓋全体を抗菌コート加工することもできる。このふろ蓋によれば、入浴時に寒さを覚える首筋を暖かくして半身浴を快適なものとすることができる。更に、マイナスイオン効果も奏され、且つ衛生的でもあると説明されている。
【０００８】
【特許文献１】特開平７−２９８９９９号公報
【特許文献２】特開平１１−１９２２８１号公報
【特許文献３】特開２０００−５０８６号公報
【特許文献４】特開２００４−１０５６１１号公報
【発明の開示】
【発明が解決しようとする課題】
【０００９】
しかし、特許文献１に記載された浴槽用蓋では、切り欠き部より、首から上のみを出して入浴するもので、肩から下は暖まるかもしれないが、首の周囲を蓋によって囲まれているため閉塞感があり、快適な入浴であるとはいえない。また、特許文献２に記載された浴槽カバーでは、発汗が促進され、圧迫感もないかもしれないが、入浴を楽しむための工夫は何らなされておらず、よりよい入浴雰囲気とすることはできない。更に、特許文献３に記載された保温マットは、通常の風呂蓋と同様に入浴していないときの保温を目的とするものであり、入浴者が温まることを考慮したものではない。また、特許文献４に記載された半身浴用風呂蓋は、半身浴用として好適であるかもしれないが、首の周囲を蓋によって囲まれているため閉塞感があり、快適な入浴であるとはいえない。
【００１０】
本発明は上記の従来の状況に鑑みてなされたものであり、閉塞感がなく、入浴空間に水蒸気及びマイナスイオンが供給され、スチーム及びミストサウナのような雰囲気となって発汗等が促進され、且つ半身浴にも好適な入浴雰囲気とすることができる浴槽カバー及びそれを用いた浴槽構造体を提供することを目的とする。
【課題を解決するための手段】
【００１１】
本発明は以下のとおりである。
１．浴槽の上面に載置される浴槽カバーであって、該浴槽カバーの形状を保持する形状保持部材と、該形状保持部材に取り付けられたカバー部材と、該浴槽カバーを折り畳むための折り畳み手段とを備え、該カバー部材の少なくとも一部はマイナスイオン発生剤を有する織物により形成されていることを特徴とする浴槽カバー。
２．上記浴槽カバーを上記浴槽の上記上面及び／又は該浴槽の側面の上部に固定するための固定具が取り付けられている上記１．に記載の浴槽カバー。
３．内部に香り袋が取着されている上記１．又は２．に記載の浴槽カバー。
４．内面に物品収納用ポケットが設けられている上記１．乃至３．のうちのいずれか１項に記載の浴槽カバー。
５．浴槽の上面に載置される浴槽カバーであって、該浴槽カバーの形状を保持する形状保持部材と、該形状保持部材に取り付けられたカバー部材と、該浴槽カバーを折り畳むための折り畳み手段と、該浴槽カバーを該浴槽の該上面及び／又は該浴槽の側面の上部に固定するための固定具とを備え、該カバー部材の少なくとも一部はマイナスイオン発生剤を有する織物により形成されており、内部に香り袋が取着され且つ内面に物品収納用ポケットが設けられていることを特徴とする浴槽カバー。
６．上記カバー部材の一部が樹脂フィルムにより形成されている上記１．乃至５．のうちのいずれか１項に記載の浴槽カバー。
７．上記浴槽カバーの高さ方向の最大寸法の位置が、該浴槽カバーの平面方向における側方に片寄っている上記１．乃至６．のうちのいずれか１項に記載の浴槽カバー。
８．浴槽と、該浴槽の上面に載置された上記１．乃至７．のうちのいずれか１項に記載の浴槽カバーとを備えることを特徴とする浴槽構造体。
【発明の効果】
【００１２】
本発明の浴槽カバーによれば、閉塞感がなく、入浴空間に水蒸気及びマイナスイオンが供給され、カバー部材が織物により形成されているため、通気性があり且つ入浴空間には水蒸気が十分に含まれており、スチーム及びミストサウナのような雰囲気となって発汗等が促進され、半身浴にも好適な入浴雰囲気とすることができる。
また、浴槽カバーを浴槽の上面及び／又は側面の上部に固定するための固定具が取り付けられている場合は、浴槽カバーが浴槽の上面からずれたり、落ちたりするのが防止され、浴槽カバーを浴槽の上面に安定して載置することができる。
更に、内部に香り袋が取着されている場合は、その日の気分によって香り袋に種々の香水を付着させることで、より快適な入浴雰囲気とすることができる。
また、内面に物品収納用ポケットが設けられている場合は、特に女性では、頭髪のリンス、肌の手入れ等に用いる化粧品、及びタオル等の入浴用品を収納しておくことができ、便利である。
本発明の他の浴槽カバーによれば、閉塞感がなく、入浴空間に水蒸気及びマイナスイオンが供給され、スチーム及びミストサウナのような雰囲気となって発汗等が促進され、且つ半身浴にも好適な入浴雰囲気とすることができ、浴槽カバーを浴槽の上面に安定して載置することもできるばかりでなく、その日の気分によって香り袋に種々の香水を付着させることで、より快適な入浴雰囲気とすることができ、頭髪のリンス、肌の手入れ等に用いるタオルなどを収納しておくこともでき、便利である。
更に、カバー部材の一部が樹脂フィルムにより形成されている場合は、趣の異なる浴槽カバーとすることができ、樹脂フィルムは着色等も容易であるため、美観に優れた浴槽カバーとすることもできる。
また、浴槽カバーの高さ方向の最大寸法の位置が、浴槽カバーの平面方向における側方に片寄っている場合は、入浴者の上体が、浴槽カバーの寸法の大きい側にくるようにして入浴することで、閉塞感のない入浴雰囲気とすることができ、且つ必要のない空間を減らすこともできるため、保温の面でも有利である。
本発明の浴槽構造体によれば、湯面と浴槽カバーとの間に閉塞感のない入浴空間が形成され、この入浴空間に水蒸気及びマイナスイオンが供給されてスチーム及びミストサウナのような雰囲気となり、発汗等が促進され、且つ半身浴にも好適な入浴雰囲気とすることができる。
【発明を実施するための最良の形態】
【００１３】
以下、図１〜７を用いて本発明を詳細に説明する。
［１］浴槽カバー
上記「浴槽カバー１」は、折り畳み手段を備え、後記の形状保持部材を折り畳むことで折り畳み可能である。上記「折り畳み手段」は、棒状体と、この棒状体に嵌め込まれていて摺動可能な環状体と、一端部が環状体に取り付けられ且つ他端部が形状保持部材の中間部に取り付けられた接続棒とを備え、形状保持部材の一端部が棒状体の一端側に取り付けられており、環状体を棒状体の一端側に向けて摺動させることで、浴槽カバーを開くことができ、環状体を棒状体の他端側に向けて摺動させることで、浴槽カバーを折り畳むことができる（浴槽カバーを開いた状態を示す図１、及び浴槽カバーを折り畳んだ状態を示す図２参照、尚、この折り畳み手段は、例えば、傘等の折り畳み手段と同様である。）。
【００１４】
入浴者３（図７参照）は折り畳んであった浴槽カバーを開き、浴槽の上面に載置することで、肩又は首より上、又は半身浴である場合は上半身を、湯面と浴槽カバーとの間に形成される空間内に置くことになる。この入浴空間には水蒸気及びマイナスイオンが供給され、入浴者は、このような入浴雰囲気に置かれることになる。浴槽カバーの下端縁は浴槽の上面に密着していてもよいし、水蒸気等が僅かに漏洩する程度の隙間があってもよい。浴槽カバーの下端縁と浴槽の上面との隙間からの水蒸気等の漏洩を抑えるためには、浴槽カバーの下端縁に沿って柔軟な樹脂、ゴム等からなる帯状体を取り付け、この帯状体と浴槽の上面とが接するようにすることが好ましい。尚、この浴槽カバーは折り畳み可能であるため、入浴後、折り畳んでおけば、保管に多くの空間を必要とせず、それでなくても狭小な一般家庭の浴室における使用に適している。
【００１５】
上記「形状保持部材１１」は、図１、３〜５等のように、浴槽カバー１を開いたときに浴槽カバーの形状を保持する部材である。この形状保持部材は、弾性を有する金属線材等により形成することができる。浴槽カバーを開いたとき、形状保持部材は後記のカバー部材の形状に追随して変形（湾曲）し、カバー部材を所定の立体形状に保持することができる。また、図２のように、浴槽カバー１を折り畳んだときは、この形状保持部材１１は直線状の形状に戻り、この形状保持部材に、カバー部材が緩やかに取り付けられている状態になる。このように折り畳んだ状態では、上記のように保管に多くの空間を必要としないが、図１〜５等のように、浴槽カバー１の所定個所、特に、頂部に金属、合成樹脂等からなる吊り下げ用具（吊り下げ用リング１４）を取り付け、浴室の壁面等に固定されたフックなどに吊り下げることで、使用しないときの保管がより容易になる。
【００１６】
上記「カバー部材１２」は、図１、３〜５等のように、浴槽カバー１を開いたときに、形状保持部材１１に保持されて所定の立体形状を形成する部材である。カバー部材は一部がマイナスイオン発生剤を有する織物により形成されていてもよく、全体がマイナスイオン発生剤を有する織物により形成されていてもよい。このカバー部材は全体がマイナスイオン発生剤を有する織物により形成されていることが好ましい。カバー部材が織物により形成されていることで、通気性があるとともに入浴空間には水蒸気が十分に含有され、スチーム及びミストサウナのような入浴雰囲気が形成される。更に、この織物には適宜の模様１２１が付されていてもよい。マイナスイオン発生剤は、織物に用いられる繊維に付着及び／又は含有させておいてもよく、織物にしてから付着させてもよい。マイナスイオン発生剤は繊維に付着及び／又は含有させておくことが好ましく、繊維に含有させておく、又は繊維に含有させ、且つ付着させておくことがより好ましい。マイナスイオン発生剤が繊維に付着及び含有されておれば、特に繊維に含有されておれば、マイナスイオン発生剤がカバー部材から脱落し難く、マイナスイオンの発生がより長期に渡って持続される。
【００１７】
繊維としては特に限定されず、ポリアミド繊維、ポリエステル繊維、ポリアクリル繊維等の合成繊維、及び綿、麻、羊毛、絹等の天然繊維が挙げられる。織物は、これらの繊維からなる糸を用いて製造される。カバー部材を形成する織物は特に限定されず、どのような種類の織物を用いてもよい。本発明の浴槽カバーを用いた場合、湯面と浴槽カバーとの間に形成される入浴空間には、水蒸気とマイナスイオンとが供給され、所定の入浴雰囲気が形成される。この雰囲気内に水蒸気が適量含まれ、スチーム及びミストサウナのような快適な入浴雰囲気となるように、カバー部材は適度な通気性を有していることが好ましい。例えば、ナイロンタオル程度の通気性を有していることが好ましい。
【００１８】
上記「マイナスイオン発生剤」としては、電気石（トルマリン）、フェルグソン石、モナズ石、バストネス石、ゼノタイム、コルンブ石、ベタホ石、サマルスキー石、ユークセン石、タンタル石、閃ウラン鉱、方トリウム石、トロゴム石、カルノー石、ガドリン石、ジルコン、変種ジルコン等が挙げられる。これらのマイナスイオン発生剤は１種のみ用いてもよいし、２種以上を用いてもよい。
このマイナスイオン発生剤の形状は特に限定されず、球形、楕円体等の粒子を用いることができ、平面形状が円形、楕円形等の平板状、及び直線、曲線等の線状などのマイナスイオン発生剤を用いることもできる。また、マイナスイオン発生剤の最大長さは、０．１〜１０μｍ、特に０．５〜５μｍであることが好ましい。
【００１９】
マイナスイオン発生剤の付着、含有量は、織物を１００質量部とした場合に、０．１〜２０質量部、特に０．５〜１０質量部、更に１〜５質量部とすることができる。このマイナスイオン発生剤の付着、含有量が０．１質量部未満であると、マイナスイオンが十分に発生しない傾向にある。一方、２０質量部を越えると、付着しているマイナスイオン発生剤は脱落し易くなり、含有されているマイナスイオン発生剤は織物の表面にブリードアウトして浴槽カバーの外観を低下させることがある。
【００２０】
カバー部材の一部がマイナスイオン発生剤を有する織物により形成されている場合、他部を形成するカバー部材の材質等は特に限定されないが、例えば、図３、４のように、樹脂フィルムにより形成された樹脂フィルム部１２２とすることができる。この樹脂フィルムとしては、ナイロン６、ナイロン６６等のポリアミド樹脂、ポリエチレンテレフタレート等のポリエステル樹脂、ポリエチレン、ポリプロピレン等のポリオレフィン樹脂等の各種の合成樹脂からなフィルムを用いることができる。この樹脂フィルムには、織物と同様にマイナスイオン発生剤を付着、含有させることが好ましく、マイナスイオン発生剤を含有させることがより好ましい。マイナスイオン発生剤の種類、形状、付着、含有量等は、織物の場合と同様である。
【００２１】
樹脂フィルムは、着色されていないフィルムでもよく、顔料等が配合された原料樹脂を用いて成形された着色フィルムであってもよい。着色フィルムであれば美観の面で好ましい。また、透明であっても、不透明であってもよいが、無色透明又は有色透明であることが好ましい。樹脂フィルムが透明であれば、入浴者が外部を見ることができ、より閉塞感のない入浴空間とすることができる。
【００２２】
更に、これらの樹脂フィルムは一般に通気性が低いため、必要に応じて通気のための孔を設けてもよい。この孔の形状は特に限定されず、円形、楕円形、及び三角形、四角形等の多角形などのいずれの形状であってもよい。更に、孔の大きさ及び個数も特に限定されず、例えば、円形の場合は直径が１０ｍｍを越え、５０ｍｍ以下、特に１０ｍｍを越え、３０ｍｍ以下の大きな孔を数個から十数個設けてもよいし、直径が１〜１０ｍｍ、特に１〜５ｍｍ、更に１〜２ｍｍの小さい孔を多数設けてもよい。尚、孔が円形でない場合は、面積が略同等となる大きさ及び個数とすることができる。この孔の大きさ及び個数は、入浴空間に含まれる水蒸気等が過多又は過少にならないように設定することが好ましい。また、この孔は特定の部分に偏在させてもよく、樹脂フィルムの全面に均等に設けてもよいが、特に、直径が１〜５ｍｍの微小な孔であるときは、樹脂フィルムの全面に均等に設けることが好ましい。
【００２３】
上記のようにカバー部材の一部を織物により形成し、他部を樹脂フィルムにより形成する場合、カバー部材のどの部分を樹脂フィルムにより形成するかは特に限定されない。例えば、図３のように、浴槽カバー１の一方の側の略半分を織物からなるカバー部材１２により形成し、他方の側の略半分を樹脂フィルムとして樹脂フィルム部１２２を形成してもよい。また、カバー部材の特定の部分を、円形、楕円形、及び三角形、四角形等の多角形などの形状の樹脂フィルムにより形成し、窓のようにすることもできる（図４参照）。このようにカバー部材１２に樹脂フィルムからなる部分１２２を設けた場合、入浴者は、織物の側に上体がくるようにして入浴することで、特に、樹脂フィルムが無色透明又は有色透明であるときは、樹脂フィルムの部分から外部を見ることができる。
【００２４】
カバー部材は、必要に応じて撥水加工し、撥水性を付与することもできる。この撥水性は、カバー部材の表面にフッ素系樹脂等の撥水性の高い樹脂をコーティングすること等により付与することができる。例えば、フッ素系樹脂を不燃性のフッ素系溶剤又は有機溶剤に溶解した溶液をカバー部材に塗布し、又はこの溶液にカバー部材を浸漬し、その後、乾燥して溶剤を除去し、フッ素系樹脂の皮膜を形成することにより撥水性を付与することができる。
【００２５】
浴槽カバーは、浴槽の上面に載置するのみでもよいが、入浴者が触れたりした場合に容易に浴槽の上面からずれたり、落ちたりしないように固定することが好ましい。上記「固定具」は特に限定されないが、例えば、図１〜７等のように、浴槽カバーの下端部に取り付けられた軟質な樹脂又はゴム等からなる吸盤１３が挙げられる。この吸盤１３を浴槽２の上面及び／又は側面の上部に吸着させることで浴槽カバーを固定することができる（図６、７参照）。この吸盤の個数は２〜６個、特に２〜４個であることが好ましい。吸盤の個数が２〜６個であれば浴槽カバーを十分に固定することができる。更に、吸盤を取り付ける位置は特に限定されないが、浴槽カバーの下端縁の角部近縁に取り付けることが好ましい。また、吸盤を浴槽カバーの下端縁の一方の側のみに取り付けることもできる。このようにすれば、吸盤が取り付けられている側は浴槽の上面等に固定したまま、吸盤が取り付けられていない側から浴槽カバーを持ち上げて入浴することができる。
浴槽の表面は一般に平滑であり、且つ水分が付着しているため、樹脂又はゴム製の吸盤を固定させ易く、且つ吸盤は着脱も容易であり、この吸盤よる固定方法が好ましい。
【００２６】
本発明の浴槽カバーを用いた場合、入浴空間に水蒸気及びマイナスイオンが供給されるが、その他に入浴時に香りを楽しむようにすることもできる。この香りを楽しむ方法は特に限定されないが、浴槽カバーの内部に香り袋を取着する方法が挙げられる、この香り袋は、香り袋を浴槽カバーの内部に吊設するか（図１、３〜５等を参照）、カバー部材の内面に取り付けることで取着することができる。また、香り袋は、浴槽カバーの内部に吊設し、更にカバー部材の内面に取り付けてもよい。この香り袋に好みの香水を付着させることにより、入浴時に香りを楽しむことができる。
【００２７】
更に、特に、女性の場合、入浴時に洗顔、頭髪のリンス、肌の手入れ等をすることも多いが、このようなときに手元に化粧品、タオル等の入浴用品があると都合がよい。この入浴用品を浴槽カバーの内面に用意しておくため、カバー部材１２の内面に物品収納用ポケット１２３を設けておくこともできる。このポケットはカバー部材の内面のどこに取り付けてもよいが、カバー部材の内面の下方側の入浴者の左右いずれかの位置に取り付けることが好ましい（図１、３〜５等を参照）。このような位置にポケットがあれば化粧品、タオル等の入浴用品の出し入れが容易である。
【００２８】
本発明の浴槽カバー１は、例えば、図１等のように対称な構造でもよく、図５のように非対称な構造でもよい、図５の浴槽カバー１は、この浴槽カバーを浴槽の上面に載置したときに、浴槽カバーの高さ方向の最大寸法の位置が、浴槽カバーの平面方向における側方に片寄っている。入浴者は、この寸法の大きい側に上体がくるようにして入浴することで、頭上に十分な空間があり、閉塞感がより抑えられる。また、寸法の小さい側では必要のない空間が少なくなり、入浴空間に十分な水蒸気及びマイナスイオンが供給される。
【００２９】
浴槽カバーの浴槽の開口面からの最大寸法は特に限定されないが、２０〜５０ｃｍ、特に２５〜４５ｃｍとすることができる。この高さが２０〜５０ｃｍであれば、頭上に十分な空間が形成され、閉塞感が抑えられる。更に、図５のように、浴槽カバーの高さ方向の最大寸法の位置が、浴槽カバーの平面方向における側方に片寄っている場合は、寸法の大きい側は２０〜５０ｃｍ、特に２５〜４５ｃｍとすることができ、寸法の小さい側は５〜２０ｃｍ、特に１０〜１５ｃｍとすることができる。このような浴槽カバーであれば、入浴者は、この寸法の大きい側に上体がくるようにして入浴することで、閉塞感が十分に抑えられ、且つ入浴空間に十分な水蒸気及びマイナスイオンが供給される。
【００３０】
浴槽カバーには、抗菌、消臭、汚れの抑制等の作用を付与することもできる。これらの作用を有する浴槽カバーは、抗菌剤等が配合された繊維からなる糸を用いて製造された織物からなるカバー部材、及び抗菌剤等が配合された樹脂を用いて成形された樹脂フィルムからなる樹脂フィルム部を有するカバー部材を用いることで作製することができる。
【００３１】
抗菌剤としては、銀系ゼオライト、銀・亜鉛系ゼオライト等のゼオライト系抗菌剤、錯体化銀・シリカゲル等のシリカゲル系抗菌剤、リン酸カルシウム系抗菌剤、リン酸ジルコニウム系抗菌剤、銀・ケイ酸アルミン酸マグネシウム等のケイ酸塩系抗菌剤、酸化チタン系抗菌剤、セラミック系抗菌剤、ウィスカー系抗菌剤等の無機系抗菌剤、ホルムアルデヒド放出剤、ハロゲン化芳香族化合物、第四アンモニウム塩、ビグアニド化合物、アルデヒド類、フェノール類、ベンズイミダゾール誘導体、ピリジンオキシド、ジフェニルエーテル、有機金属化合物等の有機系抗菌剤、及び天然抗菌剤が挙げられる。これらの抗菌剤は１種のみ用いてもよいし、２種以上を用いてもよい。
【００３２】
抗菌剤としては、マイナスイオン発生剤としても用いることができる電気石（トルマリン）等を用いることもできる。更に、特殊な光触媒酸化チタンが配合されたレーヨン繊維（例えば、オーミケンシ株式会社製、商品名「サンダイヤ」）によりカバー部材を形成すれば、抗菌作用の他、消臭、汚れの分解等の作用、効果も併せて奏される。また、特殊な海草エキスが配合された繊維（例えば、富士紡績株式会社製、商品名「スリミッシュ」）によりカバー部材を形成すれば、脂肪分解酵素の活性化が促進され、抗菌作用の他、消臭、汚れの分解等の作用、効果が期待される。
【００３３】
［２］浴槽構造体
本発明の浴槽構造体は、図６、７のように、浴槽２と、浴槽の上面に載置された浴槽カバー１とを備える。
上記「浴槽カバー」については、上記［１］における浴槽カバーに関する記載をそのまま適用することができる。
また、上記「浴槽２」は一般家庭の浴槽であり、その材質、形状等は特に限定されない。浴槽の少なくとも表面の材質としては、アクリル樹脂、繊維強化アクリル樹脂等の合成樹脂、ステンレス鋼等の金属及び人造大理石などが挙げられる。また、浴槽の平面形状は一般に方形、特に、図６、７のように、長方形であることが多い。
更に、浴槽カバー１の下方の開口面の大きさは、図１等のように浴槽２の開口面と略同じであってもよく、図６、７のように、浴槽２の開口面より大きくてもよい。このように、浴槽２の側方に、浴槽の上面と略同じ高さの側方台部等が形成されているときは、浴槽カバーの開口面の大きさは、この台部等も含めた大きさとすることができ（この場合、台部等の上面も浴槽の上面であるとする。）、このような浴槽カバーであれば、図７のように、台部が形成されている側に上体がくるようにして入浴することで、頭上の空間がより広くなり、特に閉塞感のない入浴雰囲気とすることができる。
【００３４】
［３］浴槽カバーの使用方法
本発明の浴槽カバーは浴槽の上面に載置して用いられる。これにより、湯面と浴槽カバーとの間に形成される空間に水蒸気及びマイナスイオンが供給され、入浴者は、このような入浴雰囲気に置かれることになる。カバー部材の一部又は全体が織物により形成されているため、通気性があり且つ入浴雰囲気には水蒸気が十分に含まれることになる。その結果、スチーム及びミストサウナのような入浴雰囲気が形成されて発汗が促進される等の作用、効果が奏される。更に、本発明の浴槽カバーは、この浴槽カバーの下端部に取り付けられた固定具により浴槽の上面及び／又は側面の上方に固定して用いることができる。固定具としては、軟質な樹脂又はゴム等からなる吸盤などを用いることができる。これにより、浴槽カバーが浴槽の上面からずれたり、落ちたりすることが防止され、浴槽カバーを浴槽の上面に安定して載置することができる。
【００３５】
また、本発明の浴槽カバーは、この浴槽カバーの下端縁に取り付けられた固定具により浴槽の上面及び／又は側面の上方に固定し、内部に香り袋を取着し、この香り袋に香水を付着させ、且つ内面に物品収納用ポケットを設け、この物品収納用ポケットに入浴用品を収納して用いることもできる。この入浴用品としては、化粧品、タオル等が挙げられる。香り袋は、浴槽カバーの内部に吊設する及び／又は浴槽カバーの内面に取り付ける等の方法で取着することができる。更に、物品収納用ポケットは、浴槽カバーの内面、特に、その下方側の入浴者の左右いずれかの位置に設けることが好ましい。これにより、入浴時に好みの香りを楽しむことができ、また、物品収納用ポケットに入浴時に用いられる種々の入浴用品を収納することができ、特に、女性の場合、入浴時に洗顔、頭髪のリンス、肌の手入れ等をすることも多く、このようなときに化粧品、タオル等の入浴用品が手元に置いてあれば都合がよい。
【図面の簡単な説明】
【００３６】
【図１】本発明の浴槽カバーを開いた状態の斜視図である。
【図２】本発明の浴槽カバーを折り畳んだ状態の斜視図である。
【図３】カバー部材の一方の側の半分が透明な樹脂フィルムにより形成されている浴槽カバーの斜視図である。
【図４】カバー部材の一面に透明な樹脂フィルムからなる楕円形の窓部が設けられている浴槽カバーの斜視図である。
【図５】一方の側が対向する他方の側より高くなっている浴槽カバーの斜視図である。
【図６】浴槽カバーが浴槽の上面に載置された本発明の浴槽構造体の斜視図である。
【図７】図６をＡの側からみた縦断面を示すものであり、併せて入浴者を模式的に図示した説明図である。
【符号の説明】
【００３７】
１；浴槽カバー、１１；形状保持部材、１２；カバー部材、１２１；模様、１２２；樹脂フィルム部、１２３；物品収納用ポケット、１３；吸盤、１４；吊り下げ用リング、１５；香り袋、２；浴槽、３入浴者。
【図１】
2006020724.tif 000003
【図２】
2006020724.tif 000004
【図３】
2006020724.tif 000005
【図４】
2006020724.tif 000006
【図５】
2006020724.tif 000007
【図６】
2006020724.tif 000008
【図７】
2006020724.tif 000009